(57)【要約】      （修正有）【課題】屋外用照明装置の電源装置として、例えば、ＬＥＤ照明灯の電源回路が防水構造の外装ケースに収容された電源ユニットで、特別なシール部材でリード線引き出し部とその他の全周囲で防水構造となる技術を提供する。【解決手段】配線基板６に取り付けられた電気回路部品が所定の外装ケースに収容され、電気回路部品と電気的に接続されるリード線が外装ケースのリード線引き出し部から外装ケース外へ延出する電源装置において、外装ケースは配線基板６を取り付けたベース部材３とカバー部材４との組み合わせで構成され、リード線引き出し部における外装ケースとリード線とのシールを行う第１シール部１０、及びベース部材３とカバー部材４との嵌合部のシールを行う第２シール部１１を、柔軟性と弾力性を有するシール部材７で一体に形成した。【選択図】図３
2012155986.tif 000002
【特許請求の範囲】
【請求項１】
配線基板に取り付けられた電気回路部品が所定の外装ケースに収容され、前記電気回路
部品と電気的に接続されるリード線が前記外装ケースのリード線引く出し部から前記外装
ケース外へ延出する電源装置において、前記外装ケースは前記配線基板を取り付けたベー
ス部材とカバー部材との組み合わせで構成され、前記リード線引き出し部における前記外
装ケースとリード線とのシールを行う第１シール部、及び前記ベース部材と前記カバー部
材との嵌合部のシールを行う第２シール部が、柔軟性と弾力性を有するシール材によって
一体に形成されたことを特徴とする電源装置。
【請求項２】
前記嵌合部は前記ベース部材と前記カバー部材のいずれか一方が前記第２シール部を配
置する凹部であり他方が凸部で構成され、前記ベース部材と前記カバー部材との組み合わ
せによって前記凸部が前記第２シール部を押し圧する関係であり、
前記第１シール部は、前記リード線を挟むように組み合わせ接合される上下一対のシー
ル板部が可撓性の連結部によって連結され、前記上下一対のシール板部は組み合わせ接合
されるとき前記リード線の外面に密着するための半円形のリード線挿通溝をそれぞれ備え
、前記リード線挿通溝は前記リード線の直径よりも若干小さい直径の半円形の溝であり、
前記第１シール部は前記ベース部材と前記カバー部材の組み合わせによって前記上下一対
のシール板部相互が押し圧状態に保持されることを特徴とする請求項１に記載の電源装置
。
【請求項３】
前記外装ケースは横長の箱形状をなし且つ前記リード線引き出し部がその横長の箱形状
の左右両端部に形成され、前記第１シール部及び前記第２シール部が柔軟性と弾力性を有
するシリコン樹脂製シール材によって一体に形成され、前記上下一対のシール板部に形成
された半円形のリード線挿通溝は、前記リード線の直径の９０％〜９５％の直径の半円形
の溝であることを特徴とする請求項２に記載の電源装置。
【発明の詳細な説明】
【技術分野】
【０００１】
本発明は、電気回路部品が外装ケースに収容された電源装置に関し、特に、屋外用照明
装置のように屋外で使用される電気器具に適用される電源装置に関する。
【背景技術】
【０００２】
電源スイッチを収容した電装ボックスが車室外に設けられる場合において、その電装ボ
ックスを構成するスイッチリッドとスイッチケースとの間をシール材でシールするものが
ある（特許文献１参照）。
【０００３】
この特許文献１では、防水用のシール材は、スイッチリッドとスイッチケースとの間に
環状のシール材を設け、スイッチリッドとスイッチケースとの間を密封する構成であるが
、この電装ボックス内の電気部品と外部の電気回路とを接続するためのリード線が設けら
れていないため、このようなリード線の部分のシール技術は開示されていない。
【先行技術文献】
【特許文献】
【０００４】
【特許文献１】特開２００９−２７２１４０号公報
【発明の概要】
【発明が解決しようとする課題】
【０００５】
本発明は、電気回路部品が外装ケースに収容された電源装置において、外装ケースがベ
ース部材とカバー部材との組み合わせで構成される場合、このベース部材とカバー部材と
の組み合わせ部分のシールと、外装ケース内に収容された電気回路部品に接続されるリー
ド線の部分のシールとを新規なシール部材によって達成できる新規な技術を提供するもの
である。
【０００６】
このような新規な技術に関し、本発明は特に、屋外用照明装置のように屋外で使用され
る電気器具に適用される電源装置として、好ましい防水技術を提供するものであり、その
電源装置の一つとして、ＬＥＤ照明灯の電源回路が防水構造の外装ケースに収容された電
源ユニットを構成する形態の電源装置を提供するものである。
【課題を解決するための手段】
【０００７】
第１発明は、配線基板に取り付けられた電気回路部品が所定の外装ケースに収容され、
前記電気回路部品と電気的に接続されるリード線が前記外装ケースのリード線引く出し部
から前記外装ケース外へ延出する電源装置において、前記外装ケースは前記配線基板を取
り付けたベース部材とカバー部材との組み合わせで構成され、前記リード線引き出し部に
おける前記外装ケースとリード線とのシールを行う第１シール部、及び前記ベース部材と
前記カバー部材との嵌合部のシールを行う第２シール部が、柔軟性と弾力性を有するシー
ル材によって一体に形成されたことを特徴とする電源装置。
【０００８】
第２発明は、第１発明において、前記嵌合部は前記ベース部材と前記カバー部材のいず
れか一方が前記第２シール部を配置する凹部であり他方が凸部で構成され、前記ベース部
材と前記カバー部材との組み合わせによって前記凸部が前記第２シール部を押し圧する関
係であり、
前記第１シール部は、前記リード線を挟むように組み合わせ接合される上下一対のシー
ル板部が可撓性の連結部によって連結され、前記上下一対のシール板部は組み合わせ接合
されるとき前記リード線の外面に密着するための半円形のリード線挿通溝をそれぞれ備え
、前記リード線挿通溝は前記リード線の直径よりも若干小さい直径の半円形の溝であり、
前記第１シール部は前記ベース部材と前記カバー部材の組み合わせによって前記上下一対
のシール板部相互が押し圧状態に保持されることを特徴とする電源装置。
【０００９】
第３発明は、第２発明において、前記外装ケースは横長の箱形状をなし且つ前記リード
線引き出し部がその横長の箱形状の左右両端部に形成され、前記第１シール部及び前記第
２シール部が柔軟性と弾力性を有するシリコン樹脂製シール材によって一体に形成され、
前記上下一対のシール板部に形成された半円形のリード線挿通溝は、前記リード線の直径
の９０％〜９５％の直径の半円形の溝であることを特徴とする電源装置。
【発明の効果】
【００１０】
第１発明において、もし、リード線引き出し部における外装ケースとリード線とのシー
ルを行う第１シール部と、ベース部材とカバー部材との嵌合部のシールを行う第２シール
部とが、別個のシール材によって構成される場合には、その両シール材の接合箇所のシー
ルが不十分になる虞がある。しかし、本発明では、第１シール部と第２シール部とが柔軟
性を有する樹脂製シール材によって一体に形成されていることにより、その懸念はなく、
ベース部材とカバー部材の組み合わせの全周囲での防水シールが十分になる。また、本発
明では、第１シール部と第２シール部とが一体に形成されていることにより、シール効果
に優れた柔軟性と弾力性を有するシール材によって構成しても、その取り扱い、保管、更
には取り付け作業もし易くなる効果を奏することができる。
【００１１】
第２発明では、第２シール部はベース部材とカバー部材のいずれか一方に形成した凹部
に配置されるため、柔軟性を有する樹脂製シール材であっても安定した保持ができる。ま
た、第１シール部を構成する上下一対のシール板部が可撓性の連結部によって連結されて
いるため、この一方のシール板部をベース部材に取り付けた状態でリード線を挟むように
他方のシール板部を重ねる作業がし易くなる。更に上下一対のシール板部に形成した半円
形のリード線挿通溝は、リード線の直径よりも若干小さい直径であることによって、柔軟
性と弾力性を有するシール材の特徴を効果的に活用して、リード線の外面でのシールを十
分にすることができるものとなる。
【００１２】
第３発明は、外装ケースは横長の箱形状をなしていてリード線引き出し部がその横長の
箱形状の左右両端部に形成される形態であるが、第１シール部及び第２シール部が柔軟性
と弾力性を有するシリコン樹脂製シール材で構成されていても、上記第１発明及び第２発
明の効果を良好に奏し得るものとなる。また、上下一対のシール板部に形成された半円形
のリード線挿通溝は、リード線の直径の９０％〜９５％の直径の半円形の溝であることに
よって、ベース部材とカバー部材を組み合わせる場合の作業、及びそれによってシール材
の圧縮される度合いが適正となり、十分なシールが行えるものとなる。
【図面の簡単な説明】
【００１３】
【図１】本発明に係る電源装置が適用される屋外用照明装置の取り付け状態を示す断面図である。
【図２】本発明に係る電源装置の外装ケースの外観斜視図である。
【図３】本発明に係る電源装置の分解斜視図である。
【図４】本発明に係る電源装置の外装ケースを構成するカバー部材を開けた状態のベース部材とカバー部材の内部を示す斜視図である。
【図５】本発明に係る電源装置の外装ケースを構成するカバー部材を開けた状態のベース部材とカバー部材の内部を示す平面図である。
【図６】本発明に係る電源装置の長辺に沿った断面図である。
【図７】本発明に係る電源装置の短辺に沿った断面図である。
【図８】本発明に係る外装ケースのベース部材の左端部の斜視図である。
【図９】本発明に係る外装ケースのベース部材の右端部の斜視図である。
【図１０】本発明に係るシール部材の平面図である。
【図１１】本発明に係るシール部材の左端部の斜視図である。
【図１２】本発明に係るシール部材の右端部の斜視図である。
【図１３】本発明に係るシール部材の左端部の上下一対のシール板部が重ね合わさった状態の斜視図である。
【図１４】本発明に係るシール部材の右端部の上下一対のシール板部が重ね合わさった状態の斜視図である。
【図１５】本発明に係るシール部材の左端部の側面図である。
【図１６】本発明に係るシール部材の右端部の側面図である。
【発明を実施するための形態】
【００１４】
本発明に係る電源装置は、配線基板に取り付けられた電気回路部品が所定の外装ケース
に収容され、前記電気回路部品と電気的に接続されるリード線が前記外装ケースのリード
線引く出し部から前記外装ケース外へ延出する電源装置において、前記外装ケースは前記
配線基板を取り付けたベース部材とカバー部材との組み合わせで構成され、前記リード線
引き出し部における前記外装ケースとリード線とのシールを行う第１シール部、及び前記
ベース部材と前記カバー部材との嵌合部のシールを行う第２シール部が、柔軟性と弾力性
を有するシリコン樹脂製シール材によって一体に形成されたものであり、以下に本発明の
実施例を記載する。
【実施例１】
【００１５】
本発明は、電気回路部品が収容された電源装置１に関し、特に、屋外用照明装置のよう
に屋外で使用される電気器具に適用される電源装置１として、好ましい防水技術を提供す
るものである。その電源装置１の一つとして、実施例では、ＬＥＤ照明灯の電源回路が防
水構造の外装ケースに収容された形態の電源装置１として好適な構成を提供するものであ
る。
【００１６】
図１にはＬＥＤ照明灯３０Ａ、３０Ｂを備えた屋外用照明装置３１の一例を示している
。この照明装置３１は、家屋の屋外天井などの取り付け部３４にネジなどによって取り付
けた長尺の基台３５の外面に、並行状態にＬＥＤ照明灯３０Ａ、３０Ｂが取り付けられ、
金属性の基台３５内には、取り付け板３６にネジ３７によって固定された状態で、本発明
に係る電源装置１が収容されている。ＬＥＤ照明灯３０Ａ、３０Ｂは、長尺の基台３５の
その長さ方向に沿う長さを有する直管型であり、断面円形状の長尺の透光性の樹脂パイプ
３３内に、このパイプの長尺方向に収容された長尺基板３８に発光素子である多数のＬＥ
Ｄ３９が配置され、長尺樹脂パイプ３３の左右両端部に取り付けた端子が、基台３５に取
り付けた固定側端子体４０に差し込まれて保持される形態である。ＬＥＤ照明灯３０Ａ、
３０Ｂは、固定側端子体４０を介して電源装置１から供給される電力によって発光する。
【００１７】
図２には本発明に係る電源装置１の外装ケース２の全体斜視図を示している。外装ケー
ス２は横長の直方体状の箱形状をなし、外装ケース２内には、トランス５Ａ、コイル５Ｂ
、コンデンサ５Ｃ、制御素子５Ｄ、ヒートシンク５Ｅ、端子部材５Ｆなどを含む電気回路
部品５が取り付けられた配線基板６が収容されている。
【００１８】
外装ケース２は合成樹脂製であり、配線基板６を取り付ける合成樹脂製ベース部材３と
これに結合される合成樹脂製カバー部材４との組み合わせで構成され、ベース部材３とカ
バー部材４との組み合わせ部分は全周囲に亘ってシール部材７によって防水状態にシール
される。外装ケース２の短辺側である左右両端部には配線基板６から延びる複数本のリー
ド線８の通るリード線引き出し部９が形成されている。リード線引き出し部９は、ベース
部材２に形成した平板状の支持部９Ａとカバー部材３に形成した凹部の上底に形成した支
持部９Ｂとの組み合わせによって外面視で四辺形状の角孔をなす。
【００１９】
シール部材７は、図３及び図１０に示すように、リード線引き出し部９における外装ケ
ース２とリード線８とのシールを行う第１シール部１０と、ベース部材３とカバー部材４
との嵌合部１２のシールを行う第２シール部１１とが、柔軟性と弾力性を有するシール材
によって一体に形成されている。実施例では、シール部材７は、柔軟性を有し且つ弾力性
を有するシリコン樹脂製シール材によって成形されている。
【００２０】
シール部材７の第１シール部１０は、リード線８を挟むように組み合わせ接合される上
下一対のシール板部１０Ａ、１０Ｂが柔軟性と弾力性でもって可撓性を有する連結部１３
によって連結され、上下一対のシール板部１０Ａ、１０Ｂは柔軟性と弾力性を有し、図１
３及び図１４に示すように連結部１３の湾曲によって組み合わせ接合される。上下一対の
シール板部１０Ａ、１０Ｂの接合によって、絶縁被覆されたリード線８の外面に密着する
ための半円形のリード線挿通溝１４が、それぞれ上下一対のシール板部１０Ａ、１０Ｂに
形成されている。
【００２１】
リード線挿通溝１４は、絶縁被覆されたリード線８の外面に密着してその部分のシール
が十分になるために、リード線８の外形直径よりも若干小さい直径の半円形の溝である。
実施例では、リード線挿通溝１４は、リード線８の直径の９０％〜９５％の直径の半円形
の溝で構成しており、それによって、後述のようにベース部材２とカバー部材３とが組み
合わされた状態で、上下一対のシール板部１０Ａ、１０Ｂによってリード線８が挟まれた
とき、シール部材７の柔軟性と弾力性によって、その部分のシールが適切な状態となる。
【００２２】
ベース部材３とカバー部材４との嵌合部１２は、リード線引き出し部９を除く全周囲に
形成されており、嵌合部１２は、ベース部材３とカバー部材４のいずれか一方が第２シー
ル部１１を配置する凹部１２Ａであり、他方が凸部１２Ｂで構成される。実施例の図では
、図７などに示すように、凹部１２Ａがベース部材３に形成され、凸部１２Ｂがカバー部
材４に形成されている。
【００２３】
シール部材７の第２シール部１１をベース部材３に形成した凹部１２Ａに収容した状態
で、第２シール部１１に連続する第１シール部１０の一方のシール板部１０Ａをベース部
材２に形成した支持部９Ａに支持する。この支持は、支持部９Ａの左右に形成した突出部
１５、１５間にシール板部１０Ａの柔軟性と弾力性を利用して押し込むことにより達成さ
れる。この状態で、第１シール部１０の他方のシール板部１０Ｂは、図１０〜図１２に示
すように連結部１３を介してベース部材３の内側方向へ倒れた状態である。
【００２４】
このようにしてシール部材７の第１シール部１０及び第２シール部１１がベース部材３
に保持された状態で、シール板部１０Ｂを持ち上げた状態で連結部１３、１３の間を潜り
抜けるように、配線基板６から延びる複数本のリード線８を通し、リード線８をシール板
部１０Ａのリード線挿通溝１４に嵌め合わせた状態で、ベース部材３の外側へ延出させる
。
【００２５】
この状態で、連結部１３の可撓性を利用してシール板部１０Ｂをシール板部１０Ａに重
ね合わせるように移動し、リード線８をシール板部１０Ｂのリード線挿通溝１４に嵌め合
わせた状態で、突出部１５、１５間にシール板部１０Ｂの弾性を利用して押し込むことに
より、シール板部１０Ｂがシール板部１０Ａに重ね合わされた仮保持状態となる。
【００２６】
この仮保持状態において、ベース部材３に形成した凹部１２Ａにカバー部材４に形成し
た凸部１２Ｂが嵌り合う状態にカバー部材４をベース部材３に組み合わせ、ベース部材３
とカバー部材４とを結合する。この結合は外装ケース２を防水構造とするためにネジは使
用せず、ベース部材３とカバー部材４のいずれか一方に形成した係合突起１６が係合孔１
７に嵌合し、且つベース部材３の左右両壁の内側に形成した係止突起１９Ａにカバー部材
４の左右両壁の内側に沿って形成した弾性の係止爪１９Ｂが係止することによって達成し
ている。図示の場合は、ベース部材３の四隅部分に係合突起１６を形成し、カバー部材４
の四隅部分に係合孔１７を形成したボスを形成しており、カバー部材４をベース部材３に
組み合わせた状態で相互に押し合うことによって、係合突起１６が係合孔１７に嵌合して
位置決めされると共に、係止爪１９Ｂが係止突起１９Ａに弾性係止して、カバー部材４が
ベース部材３に結合される。なお、係合突起１６と係合孔１７の少なくとも一方に接着剤
を塗布した構成とすることもできる。
【００２７】
このベース部材３とカバー部材４の結合によって、嵌合部１２では、凸部１２Ｂが第２
シール部１１を押し圧状態となり、この嵌合部１２の部分のシールを達成する。また第１
シール部１０では、ベース部材３とカバー部材４の結合によって、シール板部１０Ａと１
０Ｂにそれぞれ支持部９Ａ、９Ｂが密着すると共に、シール板部１０Ａと１０Ｂのリード
線挿通溝１４に嵌ったリード線８は、リード線挿通溝１４を押し広げる状態でリード線挿
通溝１４に密着する状態で、上下一対のシール板部１０Ａと１０Ｂが相互に押し圧状態に
保持され、リード線引き出し部９でのシールを達成する。
【００２８】
このようにして、ベース部材３とカバー部材４は、リード線引き出し部９及び嵌合部１
２で防水シールされ、ベース部材３とカバー部材４との結合の全周囲で防水シールされた
電源装置１が完成する。
【００２９】
電源装置１は、ベース部材３から左右に突出した取り付けフランジ１８に形成した孔を
貫通するネジ３７によって取り付け板３６に取り付けることにより、基台３５内に収めら
れる。
【００３０】
上記のようにリード線８を第１シール部１０のシール板部１０Ａ及び１０Ｂによって挟
む作業をする場合、図示のように連結部１３が両側に設けられている場合は、この連結部
１３相互間を潜り抜けるようにリード線８を通さなければならない。この面倒さを解消す
るためには、連結部１３は一方側にのみ形成すればシール板部１０Ｂをめくり上げるだけ
でリード線８を通すことができ、作業がし易くなる。
【００３１】
上記実施例では、外装ケース２の短辺側である左右両端部にリード線引き出し部９を形
成し、それに合致するようにシール部材７の第１シール部１０が左右に形成された形態で
あるが、リード線引き出し部９が外装ケース２の短辺側である左右両端部の一方側に形成
される形態とし、シール部材７も第１シール部１０がそれに合致するように左右の一方側
に形成された形態であっても、上記同様の効果を奏することができるため、本発明の技術
範囲である。
【産業上の利用可能性】
【００３２】
本発明は、電気回路部品が収容された電源装置に関するものであれば、屋外用照明装置
のように屋外で使用される電気器具に適用される電源装置のみでなく、他の電源装置とし
て適用できるため、上記実施例に示した図示の形態に限らず、本発明の技術範囲において
、種々の構成を包含するものである。
【符号の説明】
【００３３】
１・・・・・電源装置
２・・・・・外装ケース
３・・・・・ベース部材
４・・・・・カバー部材
５・・・・・電気回路部品
６・・・・・配線基板
７・・・・・シール部材
８・・・・・リード線
９・・・・・リード線引き出し部
９Ａ・・・・ベース部材３に形成した支持部
９Ｂ・・・・カバー部材４に形成した支持部
１０・・・・第１シール部
１０Ａ・・・シール板部
１０Ｂ・・・シール板部
１１・・・・第２シール部
１２・・・・嵌合部
１２Ａ・・・凹部
１２Ｂ・・・凸部
１３・・・・連結部
１４・・・・リード線挿通溝
１５・・・・突出部
１６・・・・係合突起
１７・・・・係合孔
１８・・・・取り付けフランジ
１９Ａ・・・係止突起
１９Ｂ・・・係止爪
【図１】
2012155986.tif 000003
【図２】
2012155986.tif 000004
【図３】
2012155986.tif 000005
【図４】
2012155986.tif 000006
【図５】
2012155986.tif 000007
【図６】
2012155986.tif 000008
【図７】
2012155986.tif 000009
【図８】
2012155986.tif 000010
【図９】
2012155986.tif 000011
【図１０】
2012155986.tif 000012
【図１１】
2012155986.tif 000013
【図１２】
2012155986.tif 000014
【図１３】
2012155986.tif 000015
【図１４】
2012155986.tif 000016
【図１５】
2012155986.tif 000017
【図１６】
2012155986.tif 000018